(57)【要約】      （修正有）【課題】スイングの正確なフォームを体得し、トップから腰始動でダウンスイングに入り、インパクトからフォロースルーにかけて、スイングパワーの向上と腹筋や背筋など体幹を鍛える安価で簡易な構造のスイング練習器を提供する。【解決手段】スイング練習器は、棒状体６と、ウエイト４と、ゴムひも調整具３、９と、上部ゴムひも１と、足掛けゴムひも１１と、下部ゴムひも８と、を備える。棒状体６の中心部にウエイト４を装着し、上下にゴムひも調整具３、９をつけたゴムひも１、８につけ、上部ゴムひも１は横壁に吊るし、下部ゴムひも８は両足の甲に足掛けゴムひも１１を張った状態にしたところに通す。ウエイト４を装着した棒状体６の重さとゴムひもの伸び縮みを利用し、ゴルフや野球のスイングをアドレス、テイクバック、トップ、インパクトフォロースルーの正確なオンプレーンを体得し、トップから腰始動で最適なインパクトゾーンを実現する事が出来、スイングスピードやスイングパワーの向上を図る事が出来る。【選択図】図１
0003231721.tif 000002
【実用新案登録請求の範囲】
【請求項１】
棒状体の胴部にウエイトを装着し、上下にゴムひも調整具をつけたゴムひもをウエイトにつけ、上部ゴムひもは横壁に吊るし、下部ゴムひもを両足の間に張った状態にかけた足掛けゴムひもにつけ、ウエイトを装着した棒状体の重さとゴムひもの伸び縮みを利用したスイング練習器具。
【考案の詳細な説明】
【技術分野】
【０００１】  本案件は横壁に付けた横壁フック止め（７）に上部ゴムひも（１）を吊るし、また、自らの両足に足掛けゴムひも（１１）の輪っか（１２、１３）を付け張った状態にし、ゴムひも調整具（９）を付け、ウエイト（４）で重さを補助することにより、ゴルフや野球のスイングをアドレス、テイクバック、トップ、インパクトフォロースルーの正確なオンプレーンを体得し、トップから腰始動で最適なインパクトゾーンを実現する事が出来、スイングスピードやスイングパワーの向上を図る事が出来る安価なスイング練習器具である。
【背景技術】
【０００２】  一例として、ゴルフスイングを練習するために様々な練習器具が用いられており、例えばゴルフクラブを模したヘッドの重い棒状のゴルフスイング練習器具が知られている。
【先行技術文献】
【特許文献】
【０００３】
【特許文献１】実用新案登録番号  第３２００１７３号公報
【考案の概要】
【考案が解決しようとする課題】
【０００４】  スイングの正確なフォームを作る練習器ではあるが、上半身ばかりに力が入り、ボールを飛ばすために必要な下半身、特に足の蹴りが足りなかった課題を解決するため、体全体を使った練習器具を提供する。
【課題を解決するための手段】
【０００５】  本案件は従来の練習方法では成し得なかった問題を解決しようとするものであり、棒状体（６）の胴部に装着するウエイト（４）とし、そのウエイト（４）の上部中心部にヒートン（２）を付け、ゴムひも調整具（３）をつけた上部ゴムひも（１）にヘッドフック止め（５）を付けヒートン（２）にかけ、その上部ゴムひも（１）を横壁フック止め（７）に吊るし、また、ウエイト（４）の下部中心部にヒートン（１４）を付け、下部ゴムひも（８）にヘッドフック止め（１０）を付け、ヒートン（１４）にかけ、自らの両足に足掛けゴムひも（１１）の輪っか（１２、１３）を付け、張った状態にした足掛けゴムひも（１１）に、下部ゴムひも（８）のゴムひも調整具（９）を付け、一連のゴルフスイングであるアドレス、テイクバック、トップ、インパクトフォロースルーが正確なオンプレーンで体得できるゴルフスイング練習器具から構成される。
また、この練習器具はゴムひもを調整することで、野球スイング練習器具としても応用できる。
【考案の効果】
【０００６】  本案件のスイング練習器具は、スイング軌道がトップからフォロースルーまでオンプレーンスイングを体感することが出来、繰り返しの練習により理想のゴルフスイングを作る。またトップから最初に腰運動で始め易く、ウエイト（４）でスイング練習すると腹筋など体を鍛える事が出来る。【０００７】  本案件のスイング練習器具は、コンパクトで持ち運びが可能であるため、自宅でも使用が出来る。また、子供から大人まで使用できるようにウエイト（４）の重さや長さの調整が出来、併せて上部ゴムひも（１）、下部ゴムひも（８）の長さや強さも変える事が出来る。
【図面の簡単な説明】
【０００８】
【図１】  本案件の本実施形態に係るスイング練習器具の概略を示す側面（Ａ）及び正面（Ｂ）から見た図である。
【図２】  上記実施形態におけるトップの状態を側面（Ａ）及び正面（Ｂ）から見た図である。
【図３】  上記実施形態におけるインパクトの状態を側面（Ａ）及び正面（Ｂ）から見た図である。
【図４】  上記実施形態におけるフォロースルーの状態を側面（Ａ）及び正面（Ｂ）から見た図である。
【図５】  ウエイト（４）に棒状体（６）を装着した状態を示す図である。
【図６】  上部ゴムひも（１）にゴムひも調整具（３）を付けた図である。
【図７】  下部ゴムひも（８）にゴムひも調整具（９）を付けた図である。
【図８】  足掛けゴムひも（１１）及び両足足掛けゴムひもの輪っか（１２、１３）を示す図である。
【考案を実施するための形態】
【０００９】  横壁に高さ約１．８ｍ〜２．２ｍに横壁フック止め（７）をつくり、上部ゴムひも（１）をバット（６・棒状体の一例としてバットとする）の胴元に中心に穴を開けた円筒形状ウェイト（４）を装着し、そのウエイト（４）の上部中心部にヒートン（２）を付け、ゴムひも調整具をつけた上部ゴムひも（１）にヘッドフック止め（５）を付けヒートン（２）にかけ、その上部ゴムひも（１）を横壁フック止め（７）に吊るし、また、ゴム製ウエイト下部中心部にヒートン（１４）を付け、下部ゴムひも（８）にヘッドフック止め（１０）を付け、ヒートン（１４）にかけ、自らの両足に足掛けゴムひも（１１）の輪っか（１２、１３）を付け、張った状態にした足掛けゴムひも（１１）に、下部ゴムひも（８）のゴムひも調整具（９）を付けセットする。
【実施例】
【００１０】  図１に示す横壁フック止め（７）に上部ゴムひも（１）を吊るし、ウエイト（４）にヒートン（２）をつけ、ヒートン（２）にヘッドフック止め（５）をつける。また、自らの両足の甲に足掛けゴムひも（１１）の輪っか（１２、１３）をつける。足掛けゴムひも（１１）の張った状態にし、下部ゴムひも（８）にゴムひも調整具（９）を付け、下部ゴムひも（８）にヘッドフック止め（１０）をヒートン（１４）に付ける。上下ゴムひも（１、８）を伸ばした状態で棒状体（６）のウエイト（４）に負荷を掛けず、リラックスの状態にしてアドレスする。
図２でトップの位置は、アドレスと同じ上部ゴムひも（１）が伸びた状態で少し引っ張られた型で棒状体（６）のウエイト（４）の重さを感じて、その状態で腰だけ始動し、同じアドレスの位置でインパクトを迎え、スピードアップしフォロースルーまで加速する。
図３はインパクトの状態で、トップから下部ゴムひも（８）の縮む力を利用し、上下運動でボールを飛ばす打ち方になっているので上下のゴムを使う。
図４はフォロースルーからフィニッシュまでの状態で、手打ちでは上下ゴムひも（１、８）を伸ばすことができないので、背筋や腹筋を使ってフィニッシュまでいけるか、そのためにヘッドスピードをいかに速くするかを体感する。【００１１】  ウエイト（４）の長さや重さはプレーヤーに合せてカットし、上下ゴムひも（１、８）はゴムひも調整具（３、９）で合せる。
【符号の説明】
【００１２】  １．上部ゴムひも
２．ヒートン
３．ゴムひも調整具
４．ウエイト
５．ヘッドフック止め
６．棒状体
７．横壁フック止め
８．下部ゴムひも
９．ゴムひも調整具
１０．ヘッドフック止め
１１．足掛けゴムひも
１２．足掛けゴムひも輪っか
１３．足掛けゴムひも輪っか
１４．ヒートン
【図１】
0003231721.tif 000003
【図２】
0003231721.tif 000004
【図３】
0003231721.tif 000005
【図４】
0003231721.tif 000006
【図５】
0003231721.tif 000007
【図６】
0003231721.tif 000008
【図７】
0003231721.tif 000009
【図８】
0003231721.tif 000010
【手続補正書】
【提出日】令和3年1月8日(2021.1.8)
【手続補正１】
【補正対象書類名】実用新案登録請求の範囲
【補正対象項目名】請求項１
【補正方法】変更
【補正の内容】
【請求項１】
スイング練習器具であって、
棒状体と、
前記棒状体の胴部に装着したウエイトと、
前記ウエイトの上下に付けたゴムひも調整具と、
前記ウエイト上部に付けた前記ゴムひも調整具に一方を付けて、他方を横壁に吊るした上部ゴムと、
練習する人の両足の間に張った足掛けゴムと、
前記ウエイト下部に付けた前記ゴムひも調整具に一方を付けて、他方を前記足掛けゴムの中央部に付けた下部ゴムひもと、を備えたスイング練習器具。